(57)【要約】  【課題】  所定の条件に応じた期間内に入力したコンテンツデータであることを特定できるプログラムを提供する。  【解決手段】  ＣＰＵ１７は、ＵＳＢインタフェース１１とパーソナルコンピュータ３との接続が切断された後に、ＳＤＲＡＭ１２に記憶された新規入力管理データの最後のフォルダにコンテンツデータが登録されている場合に、そのコンテンツデータを新規のコンテンツデータとして扱い、続いて、新規入力管理データの最後に新たな空のフォルダを作成する。【選択図】  図１
2006012359.tif 000002
【特許請求の範囲】
【請求項１】
コンテンツデータの提供元から入力したコンテンツデータを、当該コンテンツデータを管理する管理データ内の最後のフォルダに自動的に登録するコンピュータが実行するプログラムであって、
予め決められた所定の条件を満たすと、新規入力管理データ内の最後のフォルダにコンテンツデータが登録されているか否かを判断する第１の手順と、
前記第１の手順で前記最後のフォルダに前記コンテンツデータが登録されていると判断すると、当該最後のフォルダに登録されたコンテンツデータを、前記所定の条件を前回満たしてから今回満たすまでの間に前記提供元から入力したコンテンツデータとして管理する第２の手順と、
前記第２手順の後に前記新規入力管理データに新たな最後のフォルダを生成する第３の手順と
を前記コンピュータに実行させるプログラム。
【請求項２】
前記提供元からコンテンツデータを入力すると、当該コンテンツデータを前記新規入力管理データ内の最後のフォルダに登録する第４の手順
をさらに有する請求項１に記載のプログラム。
【請求項３】
前記第１の手順は、前記提供元との間の接続が切れたことを前記所定の条件として、前記管理データ内の最後のフォルダにコンテンツデータが登録されているか否かを判断する
請求項１に記載のプログラム。
【請求項４】
それぞれ異なる規則で前記コンテンツデータを管理する前記新規入力管理データを含む複数の管理データを有し、
前記第４の手順は、前記提供元からコンテンツデータを入力すると、当該コンテンツデータを前記規則に従って前記複数の管理データに登録する
請求項２に記載のプログラム。
【請求項５】
前記所定の条件を満たすと、前記新規入力管理データが存在するか否かを判断し、存在しないと判断した場合に、前記新規入力管理データを新たに生成し、当該新たに生成した新規入力管理データ内の最後のフォルダに、他の前記管理データに既に登録されているコンテンツデータを登録する第５の手順
をさらに有する請求項４に記載のプログラム。
【請求項６】
コンテンツデータの提供元から入力したコンテンツデータを、当該コンテンツデータを管理する管理データ内の最後のフォルダに自動的に登録する電子機器であって、
前記提供元から前記コンテンツデータを入力するインタフェースと、
前記新規入力管理データおよび前記コンテンツデータを記憶する記憶手段と、
予め決められた所定の条件を満たすと、前記記憶手段に記憶された新規入力管理データ内の最後のフォルダにコンテンツデータが登録されているか否かを判断し、前記最後のフォルダに前記コンテンツデータが登録されていると判断すると、当該最後のフォルダに登録されたコンテンツデータを、前記所定の条件を前回満たしてから今回満たすまでの間に前記インタフェースを介して前記提供元から入力したコンテンツデータとして管理し、前記新規入力管理データに新たな最後のフォルダを生成する処理手段と
を有する電子機器。
【請求項７】
コンテンツデータの提供元から入力したコンテンツデータを、当該コンテンツデータを管理する管理データ内の最後のフォルダに自動的に登録するコンピュータが実行するデータ処理方法であって、
予め決められた所定の条件を満たすと、新規入力管理データ内の最後のフォルダにコンテンツデータが登録されているか否かを判断する第１の工程と、
前記第１の工程で前記最後のフォルダに前記コンテンツデータが登録されていると判断すると、当該最後のフォルダに登録されたコンテンツデータを、前記所定の条件を前回満たしてから今回満たすまでの間に前記コンピュータが前記提供元から入力したコンテンツデータとして管理する第２の工程と、
前記第２の工程の後に、前記新規入力管理データに新たな最後のフォルダを生成する第３の工程と
を有するデータ処理方法。
【請求項８】
コンテンツデータの提供元から入力したコンテンツデータを、当該コンテンツデータを管理する管理データ内の最後のフォルダに自動的に登録し、前記コンテンツデータの提供元から入力したコンテンツデータを再生する再生装置であって、
前記提供元から前記コンテンツデータを入力するインタフェースと、
新規入力管理データおよび前記コンテンツデータを記憶する記憶手段と、
予め決められた所定の条件を満たすと、前記記憶手段に記憶された前記新規入力管理データ内の最後のフォルダにコンテンツデータが登録されているか否かを判断し、前記最後のフォルダに前記コンテンツデータが登録されていると判断すると、当該最後のフォルダに登録されたコンテンツデータを、前記所定の条件を前回満たしてから今回満たすまでの間に前記インタフェースを介して前記提供元から入力したコンテンツデータとして管理し、前記新規入力管理データに新たな最後のフォルダを生成し、再生指示に応じて、前記記憶手段から前記コンテンツデータを読み出して再生処理を行う処理手段と
を有する再生装置。
【請求項９】
コンテンツデータの提供元から入力したコンテンツデータを、当該コンテンツデータを管理する管理データ内の最後のフォルダに自動的に登録するコンピュータが実行するプログラムであって、
予め決められた所定の条件を満たすと、新規入力管理データ内の最後のフォルダにコンテンツデータが登録されているか否かを判断する第１の手順と、
前記第１の手順で前記最後のフォルダに前記コンテンツデータが登録されていると判断すると、当該最後のフォルダに登録されたコンテンツデータを、前記所定の条件を前回満たしてから今回満たすまでの間に前記提供元から入力したコンテンツデータとして管理する第２の手順と、
前記第２手順の後に前記新規入力管理データに新たな最後のフォルダを生成する第３の手順と
を前記コンピュータに実行させるプログラム。
【請求項１０】
コンテンツデータの提供元から入力したコンテンツデータを、当該コンテンツデータを管理する管理データ内の新規入力フォルダ内に自動的に登録するコンピュータが実行するプログラムであって、
予め決められた所定の条件を満たすと、前記提供元から入力した前記コンテンツデータを空の前記新規入力フォルダ内に登録する処理を開始する登録開始手順と、
前記登録開始手順による前記登録する処理を開始した後に、前記所定の条件を再び満たすと、前記新規入力フォルダに登録されている前記コンテンツデータを、前記所定の条件を前回満たしてから今回満たすまでの間に前記提供元から入力したコンテンツデータとして管理する管理手順と
を前記コンピュータに実行させるプログラム。
【請求項１１】
コンテンツデータの提供元から入力したコンテンツデータを、当該コンテンツデータを管理する管理データ内の新規入力フォルダ内に自動的に登録する電子機器であって、
前記提供元から前記コンテンツデータを入力するインタフェースと、
前記管理データおよび前記コンテンツデータを記憶する記憶手段と、
予め決められた所定の条件を満たすと、前記インタフェースを介して前記提供元から入力した前記コンテンツデータを是記憶手段に記憶された空の前記新規入力フォルダ内に登録する処理を開始し、当該登録する処理を開始した後に、前記所定の条件を再び満たすと、前記新規入力フォルダに登録されている前記コンテンツデータを、前記所定の条件を前回満たしてから今回満たすまでの間に前記提供元から入力したコンテンツデータとして管理する処理手段と
を有する電子機器。
【請求項１２】
コンテンツデータの提供元から入力したコンテンツデータを、当該コンテンツデータを管理する管理データ内の新規入力フォルダ内に自動的に登録するコンピュータが実行するデータ処理方法であって、
予め決められた所定の条件を満たすと、前記提供元から入力した前記コンテンツデータを空の前記新規入力フォルダ内に登録する処理を開始する第１の工程と、
前記第１の工程による前記登録する処理を開始した後に、前記所定の条件を再び満たすと、前記新規入力フォルダに登録されている前記コンテンツデータを、前記所定の条件を前回満たしてから今回満たすまでの間に前記提供元から入力したコンテンツデータとして管理する第２の工程と
を有するデータ処理方法。
【発明の詳細な説明】
【技術分野】
【０００１】
本発明は、コンテンツデータの提供元から新たに入力したコンテンツデータを管理するプログラム、電子機器、データ処理方法および再生装置に関する。
【背景技術】
【０００２】
近年、記録メディアの大容量化、並びに音楽、動画、静止画などの圧縮技術の発達により、携帯型などの再生装置内の記録メディアに膨大な数のコンテンツデータを記憶できる。
このような再生装置は、例えば、パーソナルコンピュータと接続された状態で、パーソナルコンピュータからコンテンツデータを入力し、これを記録メディアに記録する。
この場合に、再生装置は、記録メディアに記憶したコンテンツデータを管理する所定の管理データ内の最後のフォルダにコンピュータから入力したコンテンツデータを登録する。
また、当該再生装置は、ユーザからの指示に応じて、記録メディアに記憶したコンテンツデータの選択画面をディスプレイに表示する。
ところで、パーソナルコンピュータとの間の接続を前回切断してから今回切断するまでの間にパーソナルコンピュータから新たに入力したコンテンツデータのみを選択対象とした選択画面を表示したいという要請がある。
【特許文献１】特開２００１−７６４１５号公報
【発明の開示】
【発明が解決しようとする課題】
【０００３】
ところで、上述した従来の再生装置では、パーソナルコンピュータから入力したコンテンツデータを、上記管理データの最後のフォルダに順に登録し、パーソナルコンピュータとの間の接続が切断された場合でも、上記最後のフォルダの登録内容を更新しない。また、当該再生装置は、パーソナルコンピュータとの間の接続時刻、並びにコンテンツデータとのコンテンツデータを入力した時刻を管理していない。
そのため、上述した従来の再生装置では、上記最後のフォルダに登録されたコンテンツデータが、パーソナルコンピュータとの間の接続を前回切断してから今回切断するまでの間にパーソナルコンピュータから新たに入力したコンテンツデータであるか否かを特定できない。その結果、当該再生装置は、上述したようにパーソナルコンピュータから新たに入力したコンテンツデータのみを選択対象とした選択画面を表示できないという問題がある。
上述した問題点は、パーソナルコンピュータとの間の接続の切断を基準として新たなコンテンツデータであるか特定するシステムの他に、予め決められた所定の条件を満たす期間内に、パーソナルコンピュータから入力したコンテンツデータであるか否かを判別する場合にも生じる。
【０００４】
本発明は上述した従来技術の問題点を解決するために、コンテンツデータの提供元から入力したコンテンツデータを、当該コンテンツデータを管理する管理データ内の最後のフォルダに自動的に登録する場合に、所定の条件に応じた期間内に入力したコンテンツデータであることを特定できるプログラム、電子機器、データ処理方法および再生装置を提供することを目的とする。
【課題を解決するための手段】
【０００５】
上述した従来技術の問題点を解決し、上述した目的を達成するため、第１の発明のプログラムは、コンテンツデータの提供元から入力したコンテンツデータを、当該コンテンツデータを管理する管理データ内の最後のフォルダに自動的に登録するコンピュータが実行するプログラムであって、予め決められた所定の条件を満たすと、新規入力管理データ内の最後のフォルダにコンテンツデータが登録されているか否かを判断する第１の手順と、前記第１の手順で前記最後のフォルダに前記コンテンツデータが登録されていると判断すると、当該最後のフォルダに登録されたコンテンツデータを、前記所定の条件を前回満たしてから今回満たすまでの間に前記提供元から入力したコンテンツデータとして管理する第２の手順と、前記第２手順の後に前記新規入力管理データに新たな最後のフォルダを生成する第３の手順とを前記コンピュータに実行させる。
【０００６】
第１の発明のプログラムの作用は以下のようになる。
コンピュータが、当該第１の発明のプログラムを実行する。
そして、前記コンピュータが、当該プログラムの第１の手順に従って、予め決められた所定の条件を満たすと、新規入力管理データ内の最後のフォルダにコンテンツデータが登録されているか否かを判断する。
次に、前記コンピュータが、第２の手順に従って、前記第１の手順で前記最後のフォルダに前記コンテンツデータが登録されていると判断すると、当該最後のフォルダに登録されたコンテンツデータを、前記所定の条件を前回満たしてから今回満たすまでの間に前記提供元から入力したコンテンツデータとして管理する。
次に、前記コンピュータが、第３の手順に従って、前記第２手順の後に前記新規入力管理データに新たな最後のフォルダを生成する。
【０００７】
第２の発明の電子機器は、コンテンツデータの提供元から入力したコンテンツデータを、当該コンテンツデータを管理する管理データ内の最後のフォルダに自動的に登録するコンピュータであって、前記提供元から前記コンテンツデータを入力するインタフェースと、前記新規入力管理データおよび前記コンテンツデータを記憶する記憶手段と、予め決められた所定の条件を満たすと、前記記憶手段に記憶された新規入力管理データ内の最後のフォルダにコンテンツデータが登録されているか否かを判断し、前記最後のフォルダに前記コンテンツデータが登録されていると判断すると、当該最後のフォルダに登録されたコンテンツデータを、前記所定の条件を前回満たしてから今回満たすまでの間に前記インタフェースを介して前記提供元から入力したコンテンツデータとして管理し、前記新規入力管理データに新たな最後のフォルダを生成する処理手段とを有する。
【０００８】
第２の発明の電子機器の作用は以下のようになる。
処理手段が、予め決められた所定の条件を満たすと、前記記憶手段に記憶された新規入力管理データ内の最後のフォルダにコンテンツデータが登録されているか否かを判断する。
次に、前記処理手段が、前記最後のフォルダに前記コンテンツデータが登録されていると判断すると、当該最後のフォルダに登録されたコンテンツデータを、前記所定の条件を前回満たしてから今回満たすまでの間に前記インタフェースを介して前記提供元から入力したコンテンツデータとして管理する。
次に、前記処理手段が、前記新規入力管理データに新たな最後のフォルダを生成する。
【０００９】
第３の発明のデータ処理方法は、コンテンツデータの提供元から入力したコンテンツデータを、当該コンテンツデータを管理する管理データ内の最後のフォルダに自動的に登録するコンピュータが実行するデータ処理方法であって、予め決められた所定の条件を満たすと、新規入力管理データ内の最後のフォルダにコンテンツデータが登録されているか否かを判断する第１の工程と、前記第１の工程で前記最後のフォルダに前記コンテンツデータが登録されていると判断すると、当該最後のフォルダに登録されたコンテンツデータを、前記所定の条件を前回満たしてから今回満たすまでの間に前記コンピュータが前記提供元から入力したコンテンツデータとして管理する第２の工程と、前記第２の工程の後に、前記新規入力管理データに新たな最後のフォルダを生成する第３の工程とを有する。
【００１０】
第４の発明の再生装置は、コンテンツデータの提供元から入力したコンテンツデータを、当該コンテンツデータを管理する管理データ内の最後のフォルダに自動的に登録し、前記コンテンツデータの提供元から入力したコンテンツデータを再生する再生装置であって、前記提供元から前記コンテンツデータを入力するインタフェースと、新規入力管理データおよび前記コンテンツデータを記憶する記憶手段と、予め決められた所定の条件を満たすと、前記記憶手段に記憶された前記新規入力管理データ内の最後のフォルダにコンテンツデータが登録されているか否かを判断し、前記最後のフォルダに前記コンテンツデータが登録されていると判断すると、当該最後のフォルダに登録されたコンテンツデータを、前記所定の条件を前回満たしてから今回満たすまでの間に前記インタフェースを介して前記提供元から入力したコンテンツデータとして管理し、前記新規入力管理データに新たな最後のフォルダを生成し、再生指示に応じて、前記記憶手段から前記コンテンツデータを読み出して再生処理を行う処理手段とを有する。
【００１１】
第４の発明の再生装置の作用は以下のようになる。
処理手段が、予め決められた所定の条件を満たすと、前記記憶手段に記憶された前記新規入力管理データ内の最後のフォルダにコンテンツデータが登録されているか否かを判断する。
次に、前記処理手段が、前記最後のフォルダに前記コンテンツデータが登録されていると判断すると、当該最後のフォルダに登録されたコンテンツデータを、前記所定の条件を前回満たしてから今回満たすまでの間に前記インタフェースを介して前記提供元から入力したコンテンツデータとして管理する。
次に、前記処理手段が、前記新規入力管理データに新たな最後のフォルダを生成する。
また、前記処理手段は、再生指示に応じて、前記記憶手段から読み出した前記コンテンツデータの再生処理を行う。
【００１２】
第５の発明のプログラムは、コンテンツデータの提供元から入力したコンテンツデータを、当該コンテンツデータを管理する管理データ内の新規入力フォルダ内に自動的に登録するコンピュータが実行するプログラムであって、予め決められた所定の条件を満たすと、前記提供元から入力した前記コンテンツデータを空の前記新規入力フォルダ内に登録する処理を開始する登録開始手順と、前記登録開始手順による前記登録する処理を開始した後に、前記所定の条件を再び満たすと、前記新規入力フォルダに登録されている前記コンテンツデータを、前記所定の条件を前回満たしてから今回満たすまでの間に前記提供元から入力したコンテンツデータとして管理する管理手順とを前記コンピュータに実行させる。
【００１３】
第６の発明の電子機器は、コンテンツデータの提供元から入力したコンテンツデータを、当該コンテンツデータを管理する管理データ内の新規入力フォルダ内に自動的に登録する電子機器であって、前記提供元から前記コンテンツデータを入力するインタフェースと、前記管理データおよび前記コンテンツデータを記憶する記憶手段と、予め決められた所定の条件を満たすと、前記インタフェースを介して前記提供元から入力した前記コンテンツデータを是記憶手段に記憶された空の前記新規入力フォルダ内に登録する処理を開始し、当該登録する処理を開始した後に、前記所定の条件を再び満たすと、前記新規入力フォルダに登録されている前記コンテンツデータを、前記所定の条件を前回満たしてから今回満たすまでの間に前記提供元から入力したコンテンツデータとして管理する処理手段とを有する。
【００１４】
第７の発明のデータ処理方法は、コンテンツデータの提供元から入力したコンテンツデータを、当該コンテンツデータを管理する管理データ内の新規入力フォルダ内に自動的に登録するコンピュータが実行するデータ処理方法であって、予め決められた所定の条件を満たすと、前記提供元から入力した前記コンテンツデータを空の前記新規入力フォルダ内に登録する処理を開始する第１の工程と、前記第１の工程による前記登録する処理を開始した後に、前記所定の条件を再び満たすと、前記新規入力フォルダに登録されている前記コンテンツデータを、前記所定の条件を前回満たしてから今回満たすまでの間に前記提供元から入力したコンテンツデータとして管理する第２の工程とを有する。
【発明の効果】
【００１５】
本発明によれば、コンテンツデータの提供元から入力したコンテンツデータを、当該コンテンツデータを管理する管理データ内の最後のフォルダに自動的に登録する場合に、所定の条件に応じた期間内に入力したコンテンツデータであることを特定できるプログラム、電子機器、データ処理方法および再生装置を提供することができる。
【発明を実施するための最良の形態】
【００１６】
以下、本発明の実施形態を説明する。
先ず、本実施形態の構成要素と、本発明の構成要素との対応関係を説明する。
また、図１に示すパーソナルコンピュータ３から入力され、ＨＤＤ１３に記憶される楽曲データが、本発明のコンテンツデータに対応している。
図９に示すステップＳＴ７が第１の発明の第１の手順に対応し、ステップＳＴ９が第１の発明の第２の手順に対応し、ステップＳＴ１０が第１の発明の第３の手順に対応している。
また、図９に示すステップＳＴ１が第１の発明の第４の手順に対応し、ステップＳＴ５，ＳＴ６が第１の発明の第５の手順に対応している。
また、図２等に示す新規入力管理データＭＤ４が、本発明の新規入力管理データに対応している。
また、楽曲管理データＭＤ１〜ＭＤ３が、本発明の他の管理データに対応している。
また、パーソナルコンピュータ３が、本発明の「コンテンツデータの提供元」に対応している。
また、図１に示すＵＳＢインタフェース１１が第４の発明のインタフェースに対応し、ＨＤＤ１３が第３の発明の記憶手段に対応し、デコーダ９が第４の発明の復号手段に対応し、ＣＰＵ１７が第４の発明の処理手段に対応している。
【００１７】
以下、本発明の実施形態に係わる再生装置について説明する。
図１は、本発明の実施形態に係わる再生装置１の構成図である。
再生装置１は、例えば、携帯型のオーディオ再生装置である。
図１に示すように、再生装置１は、例えば、デコーダ９、ＵＳＢ(Universal Serial Bus)インタフェース１１、ＳＤＲＡＭ(Synchronous DRAM)１２、ＨＤＤ(Hard Disk Drive)１３、ＬＣＤ(Liquid Crystal Display)パネル１４、入力デバイス１５、フラッシュメモリ１６、ＣＰＵ(Central Processing Unit) １７およびオーディオ出力回路１８を有する。
デコーダ９、ＵＳＢインタフェース１１、ＳＤＲＡＭ１２、ＨＤＤ１３、フラッシュメモリ１６、ＣＰＵ１７およびオーディオ出力回路１８は、例えば、データ線１０を介して接続されている。
【００１８】
ＵＳＢインタフェース１１は、パーソナルコンピュータ３と接続され、パーソナルコンピュータ３との間でデータ入出力を行う。
具体的には、ＵＳＢインタフェース１１は、パーソナルコンピュータ３から楽曲データを入力する。
【００１９】
ＳＤＲＡＭ１２は、ＣＰＵ１７の処理に係わるデータ等を一時的に記憶する。
ＳＤＲＡＭ１２には、例えば、後述する図２に示すように、図３に示す新規入力管理データＭＤ４を含む種々の管理データがＨＤＤ１３から読み出されて記憶される。
図３に示すように、当該管理データには、楽曲管理データＭＤ１，ＭＤ２，ＭＤ３、新規入力管理データＭＤ４、並びに統括管理データＧＭＤがある。
楽曲管理データＭＤ１，ＭＤ２，ＭＤ３および新規入力管理データＭＤ４の各々は、相互に異なる規則に基づいて、ＨＤＤ１３に記憶されている楽曲データを管理するためのデータである。
例えば、楽曲管理データＭＤ１，ＭＤ２，ＭＤ３は、ＨＤＤ１３に記憶されている楽曲データに付された名前、生成時刻、アーティスト、アルバム等を基に楽曲データの管理するデータである。
本実施形態では、楽曲管理データＭＤ１は、パーソナルコンピュータ３から新たに入力した新曲（新規入力楽曲データ）フォルダを有する。
また、新規入力管理データＭＤ４は、再生装置１とパーソナルコンピュータ３との間の接続が、接続状態から切断状態に前回切り替わった後、接続状態から切断状態に今回切り替わるまでの間に、パーソナルコンピュータ３から新規に入力した楽曲データをリスト形式で管理するデータである。
統括管理データＧＭＤは、楽曲データＭＤ１〜ＭＤ３および新規入力管理データＭＤ４を管理するデータである。
【００２０】
ＨＤＤ１３は、圧縮された楽曲データ（音楽データ）を記憶する。
当該楽曲データは、ＵＳＢインタフェース１１を介してパーソナルコンピュータ３からＨＤＤ１３に書き込まれる。
ＨＤＤ１３は、例えば、２０ＧＢの記憶容量を有し、ＡＴＲＡＣ(Adaptive TRansform Acoustic Coding)３等で符号化（圧縮）された約１００００万曲（コンパクトディスク７００枚分）の楽曲データを記憶可能である。
ＨＤＤ１３に記憶された１曲分の楽曲データ（以下、単に楽曲データとも記す）の各々には、そのア−ティスト、アルバム、ジャンル、グループ、ニュートラック、ブックマークなどに関する属性データが付されている。
【００２１】
ＬＣＤパネル１４は、図２（Ｂ）に示すように、再生装置１の筐体の正面１ａ（第２の面）上に、正面１ａの中央に対して端部１ｃ側に位置している。
ＬＣＤパネル１４には、ＣＰＵ１７によって種々の画面が表示される。
ＬＣＤパネル１４に表示される主な画面としては、例えば、図４に示すように、選曲画面Ｄ１、設定画面Ｄ２および再生画面Ｄ３があり、ユーザのキー操作に応じてこれらの画面が切り替わる（遷移する）。
【００２２】
選曲画面Ｄ１は、例えば、図５（Ａ）に示すように、パーソナルコンピュータ３から新たに入力した楽曲データの名前を表示させる項目（Ｎｅｗ  Ｔｒａｃｋｓ）を表示し、項目をユーザに選択させる。図５（Ａ）に示す項目（Ｎｅｗ  Ｔｒａｃｋｓ）を選択した場合に表示される選曲画面Ｄ１には、後述するように、新規入力管理データＭＤ４に登録された楽曲データが選択項目として表示される。
選曲画面Ｄ１は、後述するように種々の属性データ毎に規定され、項目を選択することでその下層の選曲画面Ｄ１に切り替わる。
設定画面Ｄ２は、例えば、図５（Ｂ）に示すように、「Ｒｅｐｅａｔ」、「Ｐｌａｙ  Ｍｏｄｅ」、「Ｓｏｕｎｄ」、「ＡＶＬＳ」および「Ｂｅｅｐ」などの項目を表示する。「Ｐｌａｙ  Ｍｏｄｅ」は、後述するように、再生モードを選択する際に指定（選択）される。
なお、設定画面Ｄ２を画面下方にスクロールすることで、設定画面Ｄ２には、上記の他、「Ｃｏｎｔｒａｓｔ」、「Ｂａｃｋｌｉｇｈｔ」、「Ｒｅｖｅｒｓｅ  Ｄｉｓｐｌａｙ」、「Ｌａｎｇｕａｇｅ」および「Ｆｒｏｍａｔ」などの項目が表示される。
再生画面Ｄ３は、図５（Ｃ）に示すように、再生対象として選択された楽曲データのタイトル、アルバム、アーティス、ジャンルなどの名前を示す属性データ、再生済の割合などのデータを表示する。
【００２３】
入力デバイス１５は、再生装置１の筐体に設けられ、ユーザによって操作される種々のキーである。
入力デバイス１５としては、例えば、図２（Ａ），図２（Ｂ），図２（Ｃ）に示すように、リモコン端子２９、ＭＥＮＵキー２４、ＭＯＤＥキー２５、ＶＯＬＵＭキー２６、十字キー２７およびＨＯＬＤキー２８がある。
ＭＥＮＵキー２４、ＭＯＤＥキー２５、ＶＯＬＵＭキー２６、十字キー２７およびＨＯＬＤキー２８は、それぞれユーザによる押圧などの操作に応じた操作信号をＣＰＵ１７に出力する。
【００２４】
ＭＥＮＵキー２４は、設定画面Ｄ２をＬＣＤパネル１４に表示するために用いられる。
ＭＯＤＥキー２５は、後述するように選曲画面Ｄ１の表示および切り替えに用いられる。ＶＯＬＵＭキー２６は、ヘッドフォン端子２１からヘッドフォン（図示せず）に出力する音声信号が規定する音量を調整するために用いられる。
ＶＯＬＵＭキー２６は、音量プラスキー２６ａと、音量マイナスキー２６ｂとを有する。  十字キー２７には、十字右キー２７ａ，十字左キー２７ｂ、十字上キー２７ｃ、十字下キー２７ｄおよび十字決定キー２７ｅがある。
十字右キー２７ａおよび十字左キー２７ｂは、例えば、後述するように、選曲画面Ｄ１の階層を切り換える際に用いられる。
十字上キー２７ｃおよび十字下キー２７ｄは、選曲画面Ｄ１および設定画面Ｄ２上でカーソルを上下方向に移動させるために用いられる。
十字決定キー２７ｅは、カーソルが位置する項目を決定したり、再生指示を入力するために用いられる。
【００２５】
図２（Ａ）に示すように、ＭＥＮＵキー２４、ＭＯＤＥキー２５、ＶＯＬＵＭキー２６、ヘッドフォン端子２１およびリモコン端子２９は、再生装置１の筐体の厚み方向の側面１ｄ（本発明の第１の面）に設けられている。
ＭＥＮＵキー２４、ＭＯＤＥキー２５およびＶＯＬＵＭキー２６は、側面１ｄの中央の端部１ｂ側から端部１ｂに向けて順に設けられている。ここで、端部１ｂは、端部１ｃに対向して位置する。また、ＶＯＬＵＭキー２６は、ＭＥＮＵキー２４およびＭＯＤＥキー２５に比べて大きな面積を有している。
また、図２（Ｂ）に示すように、十字キー２７は、正面１ａの中央より端部１ｂ側で、且つ側面１ｄ側に設けられている。
【００２６】
フラッシュメモリ１６は、例えば、ＣＰＵ１７の動作を規定したプログラムＰＲＧを記憶する。
ＣＰＵ１７は、フラッシュメモリ１６から読み出したプログラムＰＲＧを基に、再生装置１の動作を統括的に制御する。
ＣＰＵ１７は、後述するように、図３に示す各種の管理データを基に、ＨＤＤ１３に記憶されている楽曲データを管理する処理を行う。
また、ＣＰＵ１７は、図４に示す選曲画面Ｄ１、設定画面Ｄ２および再生画面Ｄ３をＬＣＤパネル１４に表示する処理を行う。
また、ＣＰＵ１７は、選択された楽曲データをＨＤＤ１３から読み出して復号し、これをデコーダ９に復号させる。
【００２７】
オーディオ出力回路１８は、デコーダ９で復号された楽曲データに応じたオーディオ信号をヘッドフォン端子２１に出力する。
【００２８】
以下、ＣＰＵ１７による図３に示す管理データを用いた楽曲データの管理処理について説明する。
ＣＰＵ１７に示す処理は、プログラムＰＲＧに規定されている。
なお、以下に示す処理においては、ＣＰＵ１７は、ＳＤＲＡＭ１２に読み出された管理データ、あるいはＨＤＤ１３に記憶された管理データに対してアクセスを行う。
ＣＰＵ１７は、ＵＳＢインタフェース１１を介してパーソナルコンピュータ３から楽曲データを入力すると、当該楽曲データを、図２に示す各管理データの規則に従って、当該管理データ内のフォルダに登録する。
なお、本実施形態において、管理データ内のフォルダへの楽曲データの登録処理は、パーソナルコンピュータ３からの登録指示に基づいて、ＣＰＵ１７が行う。
このとき、ＣＰＵ１７は、新規入力管理データＭＤ４のルートＲの下層のフォルダのうち、最後のフォルダ内に、パーソナルコンピュータ３から入力した楽曲データを登録する。
ＣＰＵ１７は、例えば、図６に示すように、新規入力管理データＭＤ４のルートＲの下層にフォルダＦ１，Ｆ２，Ｆ３が存在する場合に、パーソナルコンピュータ３から入力した楽曲データを最後のフォルダＦ３内に登録する。
本実施形態において、最後のフォルダとは、例えば、新規入力管理データＭＤ４のルートの直下の層のフォルダのうち識別番号が最大のフォルダである。
【００２９】
また、ＣＰＵ１７は、図１に示すＵＳＢインタフェース１１とパーソナルコンピュータ３との間の接続が切断されと、新規入力管理データＭＤ４が存在し、且つ、新規入力管理データＭＤ４の最後のフォルダに楽曲データが登録されていることを条件に、当該最後のフォルダに登録されている楽曲データを、新規入力した楽曲データとして管理する（扱う）。ＣＰＵ１７は、例えば、当該楽曲データを、楽曲管理データＭＤ１の新曲フォルダ内に登録する。
その後、ＣＰＵ１７は、新規入力管理データＭＤ４内に新たな最後のフォルダを生成する。
例えば、ＣＰＵ１７は、図７に示すように、新規入力管理データＭＤ４内の最後のフォルダＦ４を生成する。
【００３０】
なお、ＣＰＵ１７は、図１に示すＵＳＢインタフェース１１とパーソナルコンピュータ３との間の接続が切断されとき、新規入力管理データＭＤ４が存在しない場合に、図８に示すように、１つのフォルダＦ１を含む新規入力管理データＭＤ４を新たに生成し、フォルダＦ１内に、例えば、楽曲管理データＭＤ１に登録されている全ての楽曲データを登録する。
【００３１】
また、ＣＰＵ１７は、新規入力管理データＭＤ４に所定の数（例えば、６個）以上のフォルダが既に生成されている場合に、次に最後のフォルダを生成する際に、当該所定数のフォルダのうち最初に生成したフォルダを削除する。
【００３２】
以下、ＣＰＵ１７による新規入力コンテンツデータの管理に係わる動作例を説明する。
〔第１の動作例〕
当該動作例では、再生装置１がパーソナルコンピュータ３から楽曲データを入力した場合に新規入力管理データＭＤ４を更新する場合を説明する。
図９および図１０は、当該動作例を説明するためのフローチャートである。
なお、以下に示す動作例では、再生装置１がパーソナルコンピュータ３と接続状態にあるときから処理がスタートしている。
ステップＳＴ１：
図１に示す再生装置１のＣＰＵ１７は、ＵＳＢインタフェース１１を介してパーソナルコンピュータ３から楽曲データを入力したか否かを判断し、入力したと判断するとステップＳＴ２に進み、そうでない場合に上記判断を繰り返す。
ステップＳＴ２：
ＣＰＵ１７は、ステップＳＴ１で入力した楽曲データを、図２に示す各管理データの規則に従って、当該管理データ内のフォルダに登録する。
このとき、ＣＰＵ１７は、新規入力管理データＭＤ４のルートＲの下層のフォルダのうち、最後のフォルダ内に、パーソナルコンピュータ３から入力した楽曲データを登録する。
ＣＰＵ１７は、例えば、図６に示すように、新規入力管理データＭＤ４のルートＲの下層にフォルダＦ１，Ｆ２，Ｆ３が存在する場合に、パーソナルコンピュータ３から入力した楽曲データを最後のフォルダＦ３内に登録する。
新規入力管理データＭＤ４内の最後のフォルダＦ３への楽曲データの登録処理は、パーソナルコンピュータ３からの登録指示に基づいて、ＣＰＵ１７が行う。すなわち、当該登録処理は、パーソナルコンピュータ３によって制御される。
【００３３】
ステップＳＴ３：
ＣＰＵ１７は、ＵＳＢインタフェース１１とパーソナルコンピュータ３との接続が切断されたか否かを判断し、切断されたと判断するとステップＳＴ４に進み、そうでない場合には当該判断を繰り返す。
ステップＳＴ４：
ＣＰＵ１７は、ＨＤＤ１３あるいはＳＤＲＡＭ１２に新規入力管理データＭＤ４が記憶されている（存在する）か否かを判断し、記憶されていると判断するとステップＳＴ７に進み、記憶されていないと判断するとステップＳＴ５に進む。
【００３４】
ステップＳＴ５：
ＣＰＵ１７は、新規入力管理データＭＤ４を新たに生成し、これを例えばＳＤＲＡＭ１２に書き込む。
ステップＳＴ６：
ＣＰＵ１７は、ステップＳＴ５で生成した新規入力管理データＭＤ４内の最後のフォルダに、管理データＭＤ１が管理するコンテンツデータを登録する。
例えば、ＣＰＵ１７は、図８に示すように、１つのフォルダＦ１を含む新規入力管理データＭＤ４をステップＳＴ５で新たに生成し、フォルダＦ１内に、例えば、楽曲管理データＭＤ１に登録されている全ての楽曲データを登録する。
【００３５】
ステップＳＴ７：
ＣＰＵ１７は、新規入力管理データＭＤ４の最後のフォルダに楽曲データが登録されているか否かを判断し、登録されていると判断するとステップＳＴ９に進み、そうでない場合にステップＳＴ８に進む。
ステップＳＴ８：
ＣＰＵ１７は、パーソナルコンピュータ３との間の接続を前回切断してから、今回切断されるまでの間に、パーソナルコンピュータ３から新たなコンテンツデータを入力していないと判断する。
【００３６】
ステップＳＴ９：
ＣＰＵ１７は、パーソナルコンピュータ３との間の接続を前回切断してから、今回切断されるまでの間に、パーソナルコンピュータ３から新たなコンテンツデータを入力したと判断する。
そして、ＣＰＵ１７は、例えば、新規入力管理データＭＤ４の最後のフォルダに登録されている楽曲データを、楽曲管理データＭＤ１の新曲フォルダ内に登録する。
ステップＳＴ１０：
ＣＰＵ１７は、新規入力管理データＭＤ４内に新たな空の最後のフォルダを生成する。
例えば、ＣＰＵ１７は、図７に示すように、新規入力管理データＭＤ４内の最後のフォルダＦ４を生成する。
【００３７】
〔第２の動作例〕
当該動作例では、新曲選択画面表示を行う場合を説明する。
図１１は、当該動作例を説明するためのフローチャートである。
ステップＳＴ２１：
ＣＰＵ１７は、入力デバイス１５から、新曲選択画面の表示指示を入力したか否かを判断し、入力したと判断するとステップＳＴ２２に進み、そうでない場合には当該判断を繰り返す。
ステップＳＴ２２：
ＣＰＵ１７は、楽曲管理データＭＤ１の新曲フォルダに登録されている楽曲データのタイトルを含む選曲画面をＬＣＤパネル１４に表示する。
【００３８】
以下、選曲画面Ｄ１について説明する。
選曲画面Ｄ１として、複数の異なる属性（楽曲データに関しての属性）の各々について規定され、当該属性について規定された複数の項目を表示して選択させる第１階層の複数の選曲画面が規定されている。
また、選曲画面Ｄ１として、上記第１階層の選曲画面の各々について、第２階層以下の選曲画面が規定されている。
第２階層以下の選曲画面は、その上層の選曲画面の各項目毎に規定され、当該項目に対応した前記属性以外の前記属性を基に、当該項目に属する楽曲データを分類するための複数の項目を有する。
【００３９】
先ず、第１階層の選曲画面Ｄ１について説明する。
第１の階層の選曲画面Ｄ１は、例えば、図１２および図１３に示す選曲画面Ｄ１＿１，Ｄ１＿２，Ｄ１＿３，Ｄ１＿４，Ｄ１＿５である。
ここで、選曲画面Ｄ１＿１Ｄ１＿２，Ｄ１＿３，Ｄ１＿４，Ｄ１＿５は、それぞれアーティスト(Artist)、アルバム(Album) 、ジャンル(Genre) 、グループ(Group) 、それ以外(Others)の楽曲データの属性を基に楽曲データを分類して表示するための画面である。
【００４０】
例えば、ＬＣＤパネル１４に設定画面Ｄ２などが表示されている状態で、図２（Ａ）に示すＭＯＤＥキー２５をユーザが押圧すると、図１に示すＣＰＵ１７は、ＭＯＤＥキー２５からの操作信号を基に、図１２に示す選曲画面Ｄ１＿１をＬＣＤパネル１４に表示する。
選曲画面Ｄ１＿１は、アーティストを属性として楽曲データを分類する複数の項目（アーティストＡ，Ｂ，Ｃ等）を表示している。
このとき、ＣＰＵ１７は、選曲画面Ｄ１＿１以外の第１階層の選曲画面をＬＣＤパネル１４に表示してもよい。
【００４１】
続いてＭＯＤＥキー２５をユーザが押圧すると、ＣＰＵ１７は、ＭＯＤＥキー２５からの操作信号を基に、図１２に示す選曲画面Ｄ１＿２をＬＣＤパネル１４に表示する。
選曲画面Ｄ１＿２は、アルバムを属性として楽曲データを分類する複数の項目（アルバムＡ，Ｂ，Ｃ等）を表示している。
続いてＭＯＤＥキー２５をユーザが押圧すると、ＣＰＵ１７は、ＭＯＤＥキー２５からの操作信号を基に、図１２に示す選曲画面Ｄ１＿３をＬＣＤパネル１４に表示する。
選曲画面Ｄ１＿３は、ジャンルを属性として楽曲データを分類する複数の項目（ＣＬＡＳＳＩＣ，Ｊ−ＰＯＰ，ＲＯＣＫ等）を表示している。
【００４２】
続いてＭＯＤＥキー２５をユーザが押圧すると、ＣＰＵ１７は、ＭＯＤＥキー２５からの操作信号を基に、図１３に示す選曲画面Ｄ１＿４をＬＣＤパネル１４に表示する。
選曲画面Ｄ１＿４は、パーソナルコンピュータ３で規定されたグループを属性として楽曲データを分類する複数の項目（グループＡ，Ｂ，Ｃ等）を表示している。
続いてＭＯＤＥキー２５をユーザが押圧すると、ＣＰＵ１７は、ＭＯＤＥキー２５からの操作信号を基に、図１３に示す選曲画面Ｄ１＿５をＬＣＤパネル１４に表示する。
選曲画面Ｄ１＿５は、その他の属性、例えば、パーソナルコンピュータ３から新たに入力したトラック（楽曲データ）であることを示す「Ｎｅｗ  Ｔｒａｃｋｓ」、ユーザによってブックマークが付されたことを示す「Ｂｏｏｋｍａｒｋ」を属性として楽曲データを分類する複数の項目を表示している。
続いて、選曲画面Ｄ１＿５上で十字右キー２７ａが押圧されると、ＣＰＵ１７は、上述したように楽曲管理データＭＤ１の新曲フォルダに登録した楽曲データのタイトルを示す選曲画面Ｄ１＿５１をＬＣＤパネル１４に表示する。
続いて、選曲画面Ｄ１＿５１上でカーソルを上下させて所望のタイトルの位置に合わせ、十字決定キー２７ｅが押圧されると、ＣＰＵ１７は、そのタイトルの再生画面Ｄ３をＬＣＤパネル１４に表示すると共に、その再生を行う。
【００４３】
以上説明したように、再生装置１によれば、図９および図１０を用いて説明したように、パーソナルコンピュータ３との接続が切断された後に、新規入力管理データＭＤ４の最後のフォルダにコンテンツデータが登録されている場合に、そのコンテンツデータを新規のコンテンツデータとして扱い、続いて、新規入力管理データＭＤ４内に新たな最後の空のフォルダを作成する。
これにより、再生装置１は、新規入力管理データＭＤ４の最後のフォルダ内には、パーソナルコンピュータとの間の接続を前回切断してから今回切断するまでの間にパーソナルコンピュータから新たに入力したコンテンツデータのみが登録される。
そのため、再生装置１は、新規入力管理データＭＤ４の最後のフォルダに登録されたコンテンツデータが、パーソナルコンピュータとの間の接続を前回切断してから今回切断するまでの間にパーソナルコンピュータから新たに入力したコンテンツデータであると特定できる。その結果、再生装置１は、当該特定した新たに入力したコンテンツデータを選択させる選曲画面をＬＣＤパネル１４に表示できる。
【００４４】
本発明は上述した実施形態には限定されない。
上述した実施形態では、本発明を携帯型のオーディオ再生装置に適用した場合を例示したが、本発明はパーソナルコンピュータなどの携帯型以外の装置にも適用可能である。
また、上述した実施形態では、本発明の予め決められた所定の条件として、再生装置１とパーソナルコンピュータ３との間の接続が切断された場合を例示したが、例えば、所定の時間間隔が経過したこと、ユーザから指示を入力したこと、所定の数のコンテンツデータを入力したことを上記所定の条件としてもよい。
【００４５】
また、上述した実施形態では、本発明のコンテンツデータとして、楽曲データなどのオーディオデータを例示したが、ビデオや写真などのイメージデータでもよい。
また、上述した実施形態では、再生装置１として携帯型のオーディオ再生装置を例示したが、再生装置１は、例えば、パーソナルコンピュータ、コンパクトディスクなどの光ディスク再生装置、光磁気ディスク再生装置などであってもよい。
【産業上の利用可能性】
【００４６】
本発明は、コンテンツデータの提供元から新たに入力したコンテンツデータを管理するシステムに適用可能である。
【図面の簡単な説明】
【００４７】
【図１】図１は、本発明の実施形態に係わる再生装置の構成図である。
【図２】図２は、図１に示す再生装置の外観を説明するための図である。
【図３】図３は、図１に示す再生装置が用いる楽曲データの管理データを説明するための図である。
【図４】図４は、図１に示すＬＣＤパネルの画面遷移を説明するための図である。
【図５】図５は、図１にＬＣＤパネルに表示される各種の画面を説明するための図である。
【図６】図６は、図１に示すＣＰＵが行う新規入力管理データに関する処理を説明するための図である。
【図７】図７は、図１に示すＣＰＵが行う新規入力管理データに関する処理を説明するための図である。
【図８】図８は、図１に示すＣＰＵが行う新規入力管理データに関する処理を説明するための図である。
【図９】図９は、図１に示す再生装置の第１の動作例を説明するためのフローチャートである。
【図１０】図１０は、図１に示す再生装置の第１の動作例を説明するための図９の続きのフローチャートである。
【図１１】図１１は、図１に示す再生装置の第２の動作例を説明するためのフローチャートである。
【図１２】図１２は、図１に示すＬＣＤパネルに表示される選曲画面の遷移を説明するための図である。
【図１３】図１３は、図１に示すＬＣＤパネルに表示される選曲画面の遷移を説明するための図１２の続きの図である。
【符号の説明】
【００４８】
１…再生装置、９…デコーダ、１０…ＨＤＤ、１１…ＵＳＢインタフェース、１２…ＳＤＲＡＭ、１３…ＨＤＤ、１４…ＬＣＤパネル、１５…入力デバイス、１６…フラッシュメモリ、ＰＲＧ…プログラム、１８…オーディオ出力回路、２１…ヘッドフォン端子、２４…ＭＥＮＵキー、２５…ＭＯＤＥキー、２６…ＶＯＬＵＭキー、２７…十字キー、２７ａ…十字右キー、２７ｂ…十字左キー、２７ｃ…十字上キー、２７ｄ…十字下キー、２７ｅ…十字決定キー、２８…ＨＯＬＤキー
【図１】
2006012359.tif 000003
【図２】
2006012359.tif 000004
【図３】
2006012359.tif 000005
【図４】
2006012359.tif 000006
【図５】
2006012359.tif 000007
【図６】
2006012359.tif 000008
【図７】
2006012359.tif 000009
【図８】
2006012359.tif 000010
【図９】
2006012359.tif 000011
【図１０】
2006012359.tif 000012
【図１１】
2006012359.tif 000013
【図１２】
2006012359.tif 000014
【図１３】
2006012359.tif 000015
【手続補正書】
【提出日】平成17年9月27日(2005.9.27)
【手続補正１】
【補正対象書類名】特許請求の範囲
【補正対象項目名】全文
【補正方法】変更
【補正の内容】
【特許請求の範囲】
【請求項１】
コンテンツデータの提供元から入力したコンテンツデータを、当該コンテンツデータを管理する管理データ内の最後のフォルダに自動的に登録するコンピュータが実行するプログラムであって、
予め決められた所定の条件を満たすと、新規入力管理データ内の最後のフォルダにコンテンツデータが登録されているか否かを判断する第１の手順と、
前記第１の手順で前記最後のフォルダに前記コンテンツデータが登録されていると判断すると、当該最後のフォルダに登録されたコンテンツデータを、前記所定の条件を前回満たしてから今回満たすまでの間に前記提供元から入力したコンテンツデータとして管理する第２の手順と、
前記第２手順の後に前記新規入力管理データに新たな最後のフォルダを生成する第３の手順と
を前記コンピュータに実行させるプログラム。
【請求項２】
前記提供元からコンテンツデータを入力すると、当該コンテンツデータを前記新規入力管理データ内の最後のフォルダに登録する第４の手順
をさらに有する請求項１に記載のプログラム。
【請求項３】
前記第１の手順は、前記提供元との間の接続が切れたことを前記所定の条件として、前記管理データ内の最後のフォルダにコンテンツデータが登録されているか否かを判断する
請求項１に記載のプログラム。
【請求項４】
それぞれ異なる規則で前記コンテンツデータを管理する前記新規入力管理データを含む複数の管理データを有し、
前記第４の手順は、前記提供元からコンテンツデータを入力すると、当該コンテンツデータを前記規則に従って前記複数の管理データに登録する
請求項２に記載のプログラム。
【請求項５】
前記所定の条件を満たすと、前記新規入力管理データが存在するか否かを判断し、存在しないと判断した場合に、前記新規入力管理データを新たに生成し、当該新たに生成した新規入力管理データ内の最後のフォルダに、他の前記管理データに既に登録されているコンテンツデータを登録する第５の手順
をさらに有する請求項４に記載のプログラム。
【請求項６】
コンテンツデータの提供元から入力したコンテンツデータを、当該コンテンツデータを管理する管理データ内の最後のフォルダに自動的に登録する電子機器であって、
前記提供元から前記コンテンツデータを入力するインタフェースと、
前記新規入力管理データおよび前記コンテンツデータを記憶する記憶手段と、
予め決められた所定の条件を満たすと、前記記憶手段に記憶された新規入力管理データ内の最後のフォルダにコンテンツデータが登録されているか否かを判断し、前記最後のフォルダに前記コンテンツデータが登録されていると判断すると、当該最後のフォルダに登録されたコンテンツデータを、前記所定の条件を前回満たしてから今回満たすまでの間に前記インタフェースを介して前記提供元から入力したコンテンツデータとして管理し、前記新規入力管理データに新たな最後のフォルダを生成する処理手段と
を有する電子機器。
【請求項７】
コンテンツデータの提供元から入力したコンテンツデータを、当該コンテンツデータを管理する管理データ内の最後のフォルダに自動的に登録するコンピュータが実行するデータ処理方法であって、
予め決められた所定の条件を満たすと、新規入力管理データ内の最後のフォルダにコンテンツデータが登録されているか否かを判断する第１の工程と、
前記第１の工程で前記最後のフォルダに前記コンテンツデータが登録されていると判断すると、当該最後のフォルダに登録されたコンテンツデータを、前記所定の条件を前回満たしてから今回満たすまでの間に前記コンピュータが前記提供元から入力したコンテンツデータとして管理する第２の工程と、
前記第２の工程の後に、前記新規入力管理データに新たな最後のフォルダを生成する第３の工程と
を有するデータ処理方法。
【請求項８】
コンテンツデータの提供元から入力したコンテンツデータを、当該コンテンツデータを管理する管理データ内の最後のフォルダに自動的に登録し、前記コンテンツデータの提供元から入力したコンテンツデータを再生する再生装置であって、
前記提供元から前記コンテンツデータを入力するインタフェースと、
新規入力管理データおよび前記コンテンツデータを記憶する記憶手段と、
予め決められた所定の条件を満たすと、前記記憶手段に記憶された前記新規入力管理データ内の最後のフォルダにコンテンツデータが登録されているか否かを判断し、前記最後のフォルダに前記コンテンツデータが登録されていると判断すると、当該最後のフォルダに登録されたコンテンツデータを、前記所定の条件を前回満たしてから今回満たすまでの間に前記インタフェースを介して前記提供元から入力したコンテンツデータとして管理し、前記新規入力管理データに新たな最後のフォルダを生成し、再生指示に応じて、前記記憶手段から前記コンテンツデータを読み出して再生処理を行う処理手段と
を有する再生装置。
【請求項９】
コンテンツデータの提供元から入力したコンテンツデータを、当該コンテンツデータを管理する管理データ内の最後のフォルダに自動的に登録するコンピュータが実行するプログラムであって、
予め決められた所定の条件を満たすと、新規入力管理データ内の最後のフォルダにコンテンツデータが登録されているか否かを判断する第１の手順と、
前記第１の手順で前記最後のフォルダに前記コンテンツデータが登録されていると判断すると、当該最後のフォルダに登録されたコンテンツデータを、前記所定の条件を前回満たしてから今回満たすまでの間に前記提供元から入力したコンテンツデータとして管理する第２の手順と、
前記第２手順の後に前記新規入力管理データに新たな最後のフォルダを生成する第３の手順と
を前記コンピュータに実行させるプログラム。
【請求項１０】
コンテンツデータの提供元から入力したコンテンツデータを、当該コンテンツデータを管理する管理データ内の新規入力フォルダ内に自動的に登録するコンピュータが実行するプログラムであって、
予め決められた所定の条件を満たすと、前記提供元から入力した前記コンテンツデータを空の前記新規入力フォルダ内に登録する処理を開始する登録開始手順と、
前記登録開始手順による前記登録する処理を開始した後に、前記所定の条件を再び満たすと、前記新規入力フォルダに登録されている前記コンテンツデータを、前記所定の条件を前回満たしてから今回満たすまでの間に前記提供元から入力したコンテンツデータとして管理する管理手順と
を前記コンピュータに実行させるプログラム。
【請求項１１】
コンテンツデータの提供元から入力したコンテンツデータを、当該コンテンツデータを管理する管理データ内の新規入力フォルダ内に自動的に登録する電子機器であって、
前記提供元から前記コンテンツデータを入力するインタフェースと、
前記管理データおよび前記コンテンツデータを記憶する記憶手段と、
予め決められた所定の条件を満たすと、前記インタフェースを介して前記提供元から入力した前記コンテンツデータを是記憶手段に記憶された空の前記新規入力フォルダ内に登録する処理を開始し、当該登録する処理を開始した後に、前記所定の条件を再び満たすと、前記新規入力フォルダに登録されている前記コンテンツデータを、前記所定の条件を前回満たしてから今回満たすまでの間に前記提供元から入力したコンテンツデータとして管理する処理手段と
を有する電子機器。
【請求項１２】
コンテンツデータの提供元から入力したコンテンツデータを、当該コンテンツデータを管理する管理データ内の新規入力フォルダ内に自動的に登録するコンピュータが実行するデータ処理方法であって、
予め決められた所定の条件を満たすと、前記提供元から入力した前記コンテンツデータを空の前記新規入力フォルダ内に登録する処理を開始する第１の工程と、
前記第１の工程による前記登録する処理を開始した後に、前記所定の条件を再び満たすと、前記新規入力フォルダに登録されている前記コンテンツデータを、前記所定の条件を前回満たしてから今回満たすまでの間に前記提供元から入力したコンテンツデータとして管理する第２の工程と
を有するデータ処理方法。
【請求項１３】
コンテンツ提供元と接続する接続手段と、
コンテンツデータを記憶する記憶手段と、
前記接続手段を所定のコンテンツ提供元と接続させ当該コンテンツ提供元からコンテンツデータの提供を受けるとき前回のコンテンツ提供元との接続切断時に生成されたフォルダに前記コンテンツデータを登録させ、当該コンテンツデータの提供を受けているコンテンツ提供元との接続が切断されたとき新たなフォルダを生成させる処理手段と
を有する電子機器。